(57)【要約】【課題】ディスクの記録再生性能を向上し、コストを抑えることができる光ピックアップを提供する。【解決手段】アクチュエータ部におけるベースが有する壁部２ｃに設けられる突設部２ｅ上にマグネット９が載置され、マグネット９の底面の両端部と壁部２ｃが有する壁部２ｄに対向する面と基台２ａとがＵＶ接着剤により接着され、同様に、壁部２ｄに設けられる突設部２ｅ上にマグネット９が載置され、マグネット９の底面の両端部と壁部２ｄが有する壁部２ｃに対向する面と基台２ａとがＵＶ接着剤により接着される。【選択図】図１
2007184048.tif 000002
【特許請求の範囲】
【請求項１】
基台と、該基台から突出し対向する第一の壁部および第二の壁部と、前記第一の壁部が有する前記第二の壁部に対向する面である第一の面に少なくとも一つ設けられる第一の突設部と、前記第二の壁部が有する前記第一の壁部に対向する面である第二の面に少なくとも一つ設けられる第二の突設部と、前記第一の突設部上に載置され前記第一の面に当接される第一のマグネットと、前記第二の突設部上に載置され前記第二の面に当接される第二のマグネットと、対物レンズを保持し前記第一のマグネットと前記第二のマグネットとの間で変位および／または回転するレンズホルダと、を備え、
前記第一のマグネットの底面の両端部と前記第一の面と前記基台とがＵＶ接着剤により接着され、前記第二のマグネットの底面の両端部と前記第二の面と前記基台とがＵＶ接着剤により接着されている、
ことを特徴とする光ピックアップ。
【請求項２】
基台と、該基台から突出し対向する第一の壁部および第二の壁部と、前記第一の壁部が有する前記第二の壁部に対向する面である第一の面に少なくとも一つ設けられる第一の突設部と、前記第二の壁部が有する前記第一の壁部に対向する面である第二の面に少なくとも一つ設けられる第二の突設部と、前記第一の突設部上に載置され前記第一の面に当接される第一のマグネットと、前記第二の突設部上に載置され前記第二の面に当接される第二のマグネットと、対物レンズを保持し前記第一のマグネットと前記第二のマグネットとの間で変位および／または回転するレンズホルダと、を備え、
前記第一のマグネットの底面のうち少なくとも一箇所と前記第一の面と前記基台とが接着剤により接着され、前記第二のマグネットの底面のうち少なくとも一箇所と前記第二の面と前記基台とが接着剤により接着されている、
ことを特徴とする光ピックアップ。
【請求項３】
前記第一のマグネットの底面の両端部と前記第一の面と前記基台とが接着剤により接着され、前記第二のマグネットの底面の両端部と前記第二の面と前記基台とが接着剤により接着されていることを特徴とする請求項２に記載の光ピックアップ。
【請求項４】
前記第一のマグネットの底面のうち少なくとも一箇所と前記第一の面と前記基台とがＵＶ接着剤により接着され、前記第二のマグネットの底面のうち少なくとも一箇所と前記第二の面と前記基台とがＵＶ接着剤により接着されていることを特徴とする請求項２または請求項３に記載の光ピックアップ。
【発明の詳細な説明】
【技術分野】
【０００１】
本発明は、ディスク装置に備えられる光ピックアップの構造に関する。
【背景技術】
【０００２】
ディスクを用いた記録再生を行うディスク装置には、ディスクにレーザを照射する光ピックアップが備えられる。図２に従来の光ピックアップのアクチュエータ部の分解斜視図を、図３に従来の光ピックアップのアクチュエータ部の完成斜視図を示す。
【０００３】
アクチュエータ部１は、ベース２、ＦＰＣ（フレキシブルプリント基板）３、ゲルボックス４、フォーカシング用ワイヤ５、トラッキング用ワイヤ６、チルトサーボ用ワイヤ７、ＰＣＢ（プリント基板）８、マグネット９、ビス１０、フォーカスコイル１１、トラッキングコイル１２、チルトコイル１３、レンズホルダ１４、対物レンズ１５、カバー１６を備える。
【０００４】
フォーカスコイル１１は、レンズホルダ１４が有するレンズ載置部１４ａを囲むようにレンズホルダ１４に接着される。４つのトラッキングコイル１２は、レンズホルダ１４の前後側面に２つずつ接着される。また、２つのチルトコイル１３は、レンズホルダ１４の下方に接着される。２つのＰＣＢ８はそれぞれ、レンズホルダ１４の左右側面に接着される。そして、フォーカスコイル１１から出る導体線の両端が、ＰＣＢ８が有するむき出しの銅箔部に半田付けされる。また、４つのトラッキングコイル１２は１本の導体線を４箇所で巻くことで形成され、導体線の両端が、ＰＣＢ８が有するむき出しの銅箔部に半田付けされる。また、２つのチルトコイル１３は１本の導体線を２箇所で巻くことで形成され、導体線の両端が、ＰＣＢ８が有するむき出しの銅箔部に半田付けされる。そして、対物レンズ１５はレンズ載置部１４ａに接着される。
【０００５】
また、ＦＰＣ３のメイン部３ａがゲルボックス４の後側面４ａに接着され、メイン部３ａの左右両側に形成されるサイド部３ｂが折り曲げられてゲルボックス４の左右側面４ｂに接着される。そして、ビス１０がゲルボックス４を上下に貫通する穴部４ｃを貫通し、ベース２が有する基台２ａの後方に設けられるネジ穴２ｂにねじ込まれ、ゲルボックス４がベース２に固定される。
【０００６】
また、ベース２において、基台２ａから上方に突出し、対向する一対の壁部２ｃ、２ｄが前後に折り曲げ形成される。また、基台２ａから上方に突出し、対向する一対の壁部２ｆ、２ｇが、壁部２ｃと壁部２ｄとの間に両者に直交するように折り曲げ形成される。ここで図４は、ベース２にマグネット９を接着した状態の上面図を示し、図４におけるＡ−Ａ線断面図を図５（ａ）に示す。また、図４において矢印Ｂ方向に見た図を図５（ｂ）に示す。
【０００７】
壁部２ｃが有する壁部２ｄに対向する面の下方に基台２ａに接する形で２つの突設部２ｅが突設される。そして、マグネット９が突設部２ｅ上に載置され、壁部２ｃが有する壁部２ｄに対向する面の上方２箇所（図５の接着箇所ＢＰ１）と接着剤により接着される。接着剤は嫌気性接着剤が用いられる。嫌気性接着剤は空気を遮断すると硬化する接着剤である。同様に、壁部２ｄが有する壁部２ｃに対向する面の下方に基台２ａに接する形で２つの突設部２ｅが突設される。そして、マグネット９が突設部２ｅ上に載置され、壁部２ｄが有する壁部２ｃに対向する面の上方２箇所（図５の接着箇所ＢＰ２）と嫌気性接着剤により接着される。
【０００８】
また、ゲルボックス４の前方左右側面には、壁部４ｄ、壁部４ｅが突設され、それらの間に２つの直方体状の突設部４ｆが突設される。そして、フォーカシング用ワイヤ５は、壁部４ｄと突設部４ｆとの間を通され、一端をＦＰＣ３のサイド部３ｂが有するむき出しの銅箔部に半田付けされる。トラッキング用ワイヤ６は、突設部４ｆと突設部４ｆとの間を通され、一端をＦＰＣ３のサイド部３ｂが有するむき出しの銅箔部に半田付けされる。チルトサーボ用ワイヤ７は、突設部４ｆと壁部４ｅとの間を通され、一端をＦＰＣ３のサイド部３ｂが有するむき出しの銅箔部に半田付けされる。そして、壁部４ｄと突設部４ｆとの間、突設部４ｆと突設部４ｆとの間、突設部４ｆと壁部４ｅとの間に、ゲル材が充填される。
【０００９】
そして、レンズホルダ１４の左右壁部とレンズ載置部１４ａとの間に、ベース２が有する壁部２ｆ、２ｇを通すようにレンズホルダ１４を配置し、レンズホルダ１４の左右側面に接着されたＰＣＢ８が有するむき出しの銅箔部にフォーカシング用ワイヤ５、トラッキング用ワイヤ６、チルトサーボ用ワイヤ７それぞれの一端を半田付けする。これにより、レンズホルダ１４が各ワイヤにより各マグネット９の間で空中に保持される。そして、レンズホルダ１４を覆うようにカバー１６をベース２の壁部２ｃ、２ｄに取り付け、アクチュエータ部１が完成する。
【００１０】
そして、ＦＰＣ３からフォーカシング用ワイヤ５、ＰＣＢ８を介してフォーカスコイル１１に電流が流れることにより、レンズホルダ１４は各マグネット９の間で上下方向に変位し、対物レンズ１５からディスクに照射されるレーザをディスク記録面に焦点合わせする制御であるフォーカスサーボが行われる。また、ＦＰＣ３からトラッキング用ワイヤ６、ＰＣＢ８を介してトラッキングコイル１２に電流が流れることにより、レンズホルダ１４は各マグネット９の間で左右方向に変位し、対物レンズ１５からディスクに照射されるレーザをディスクのトラックに追従させる制御であるトラッキングサーボが行われる。また、ＦＰＣ３からチルトサーボ用ワイヤ７、ＰＣＢ８を介してチルトコイル１３に電流が流れることにより、レンズホルダ１４は各マグネット９の間でロール方向に回転し、対物レンズ１５からディスクに照射されるレーザの方向をディスク記録面に垂直とさせる制御であるチルトサーボが行われる。
【００１１】
なお、本発明に関連するものとしては特許文献１に、Ｍ型のヨークに接着によりレンズホルダおよびマグネットが固定され、レンズホルダおよびヨークが、ベースに固定された軸を摺動するような光ピックアップのアクチュエータ部が開示されている。
【特許文献１】特開２００３−２７２１９５号公報
【発明の開示】
【発明が解決しようとする課題】
【００１２】
しかし、上記従来の光ピックアップのアクチュエータ部には次のような問題点がある。前述したように、マグネット９はベース２が有する突設部２ｅ上に載置され、壁部２ｃが有する壁部２ｄに対向する面の上方２箇所または、壁部２ｄが有する壁部２ｃに対向する面の上方２箇所と接着されるが、マグネット９は突設部２ｅに載置されているだけなので、壁部２ｃ、２ｄの前後方向の曲げに対する剛性が小さい。これにより、レンズホルダ１４の変位動作や回転動作により壁部２ｃ、２ｄとマグネット９が共振しやすく、共振が起こるとディスクの記録再生に悪影響を及ぼす。
【００１３】
また、マグネット９の接着に嫌気性接着剤を使用しているが、光ピックアップの組立ラインにおいてはシリンジと呼ばれる注射器のような器具を用いて接着が行われる。接着時は、シリンジに装填された嫌気性接着剤を針の先から接着箇所に決められた量だけ押し出す。しかし嫌気性接着剤は粘性が低いため、シリンジの針の先に接着剤の塊ができやすく、接着時に接着剤を接着箇所に押し出すと、塊の分だけ無駄に押し出されてしまう。また、組立ライン停止状態では、シリンジの針の先から接着剤が無駄に垂れ続けることも起こる。従って、接着剤のコストが高くなり、光ピックアップのコストアップの要因となる。
【００１４】
上記問題点を鑑み、本発明は、ディスクの記録再生性能を向上し、コストを抑えることができる光ピックアップを提供することを目的とする。
【課題を解決するための手段】
【００１５】
上記目的を達成するために本発明の光ピックアップは、基台と、該基台から突出し対向する第一の壁部および第二の壁部と、前記第一の壁部が有する前記第二の壁部に対向する面である第一の面に少なくとも一つ設けられる第一の突設部と、前記第二の壁部が有する前記第一の壁部に対向する面である第二の面に少なくとも一つ設けられる第二の突設部と、前記第一の突設部上に載置され前記第一の面に当接される第一のマグネットと、前記第二の突設部上に載置され前記第二の面に当接される第二のマグネットと、対物レンズを保持し前記第一のマグネットと前記第二のマグネットとの間で変位および／または回転するレンズホルダと、を備え、
前記第一のマグネットの底面のうち少なくとも一箇所と前記第一の面と前記基台とが接着剤により接着され、前記第二のマグネットの底面のうち少なくとも一箇所と前記第二の面と前記基台とが接着剤により接着されていることを特徴としている。
【００１６】
このような構成によれば、壁部の曲げに対する剛性が高くなり、レンズホルダの変位動作や回転動作による壁部とマグネットの共振が起こりにくく、ディスクの記録再生性能が向上する。
【００１７】
また、上記の構成において、前記第一のマグネットの底面の両端部と前記第一の面と前記基台とが接着剤により接着され、前記第二のマグネットの底面の両端部と前記第二の面と前記基台とが接着剤により接着されていることが望ましい。これにより、光ピックアップの組立ラインにおける接着剤塗布作業がし易くなる。
【００１８】
また、マグネットの接着に用いる接着剤としては、ＵＶ接着剤が望ましい。ＵＶ接着剤は粘性が高いので、嫌気性接着剤のように無駄になる接着剤の量を抑え、接着剤ひいては光ピックアップのコストを抑えることができる。
【発明の効果】
【００１９】
本発明の光ピックアップによれば、ディスクの記録再生性能を向上し、コストを抑えることができる。
【発明を実施するための最良の形態】
【００２０】
本発明の実施形態について以下図面を参照し説明する。ただし、本発明に係る光ピックアップのアクチュエータ部に使用される部品は前述した図２に示す従来のものと同様であり、マグネット９の接着以外の組立についても前述した従来のものと同様であるので、本発明の特徴であるマグネット９の接着以外については詳細な説明を省く。
【００２１】
本発明に係るアクチュエータ部が有するベース２においても、図２に示すように、基台２ａから上方に突出し、対向する一対の壁部２ｃ、２ｄが前後に折り曲げ形成される。本発明においても、ベース２にマグネット９を接着した状態を上から見ると前述した図４のようになる。図４におけるＡ−Ａ線断面図を図１（ａ）に示す。また、図４において矢印Ｂ方向に見た図を図１（ｂ）に示す。
【００２２】
壁部２ｃが有する壁部２ｄに対向する面（以下、第１の面）の下方に基台２ａに接する形で２つの突設部２ｅが突設される。そして、マグネット９が突設部２ｅ上に載置され、磁力により壁部２ｃが有する第１の面に吸着および当接する。そして、マグネット９の底面の両端部と、壁部２ｃが有する第１の面の最下方両端部と、基台２ａとが、接着剤により接着される（図１の接着箇所ＢＰ３を参照）。接着剤には、紫外線が照射されると硬化するＵＶ接着剤が使用される。
【００２３】
同様に、壁部２ｄが有する壁部２ｃに対向する面（以下、第２の面）の下方に基台２ａに接する形で２つの突設部２ｅが突設される。そして、マグネット９が突設部２ｅ上に載置され、磁力により壁部２ｄが有する第２の面に吸着および当接する。そして、マグネット９の底面の両端部と、壁部２ｄが有する第２の面の最下方両端部と、基台２ａとが、ＵＶ接着剤により接着される（図１の接着箇所ＢＰ４を参照）。
【００２４】
これにより、壁部２ｃ、２ｄの前後方向の曲げに対する剛性が高くなり、各ワイヤで保持されたレンズホルダ１４が各マグネット９の間で変位動作や回転動作をしても、壁部２ｃ、２ｄとマグネット９の共振が起こりにくく、ディスクの記録再生性能が向上する。
【００２５】
また、マグネット９の接着に粘性の高いＵＶ接着剤を使用しているので、嫌気性接着剤のように無駄になる接着剤の量を抑え、接着剤ひいては光ピックアップのコストを抑えることができる。
【００２６】
なお、上記ではマグネット９の底面の両端部を接着箇所としたが、マグネット９の底面であれば接着箇所はどこでもよく、接着箇所は少なくとも１つであればよい。例えば、マグネット９の底面のうち突設部２ｅの間の一箇所のみを接着箇所としてもよい。ただ、光ピックアップの組立ラインにおけるシリンジによる接着剤の塗布作業のし易さという点では、マグネット９の底面の両端部を接着箇所とするのが望ましい。また、マグネット９が載置される突設部２ｅは、第１の面、第２の面それぞれに少なくとも１つ設ければよい。例えば、第１の面および第２の面それぞれの左右方向中央部にのみ突設部２ｅを１つ設けてもよい。
【００２７】
また、本発明は、レンズホルダが、ベースに固定された軸を摺動してマグネット間で変位および回転するタイプの光ピックアップにも適用することができる。
【図面の簡単な説明】
【００２８】
【図１】は、本発明に係る光ピックアップのアクチュエータ部における（ａ）図４のＡ−Ａ線断面図、（ｂ）図４のＢ方向矢視図である。
【図２】は、従来および本発明に係る光ピックアップのアクチュエータ部の分解斜視図である。
【図３】は、従来および本発明に係る光ピックアップのアクチュエータ部の完成斜視図である。
【図４】は、従来および本発明に係る光ピックアップのアクチュエータ部におけるベースにマグネットを接着した状態の上面図である。
【図５】は、従来の光ピックアップのアクチュエータ部における（ａ）図４のＡ−Ａ線断面図、（ｂ）図４のＢ方向矢視図である。
【符号の説明】
【００２９】
１    アクチュエータ部
２    ベース
２ａ    基台
２ｃ    壁部
２ｄ    壁部
２ｅ    突設部
３    ＦＰＣ（フレキシブルプリント基板）
４    ゲルボックス
５    フォーカシング用ワイヤ
６    トラッキング用ワイヤ
７    チルトサーボ用ワイヤ
８    ＰＣＢ（プリント基板）
９    マグネット
１０    ビス
１１    フォーカスコイル
１２    トラッキングコイル
１３    チルトコイル
１４    レンズホルダ
１５    対物レンズ
１６    カバー
ＢＰ１、ＢＰ２、ＢＰ３、ＢＰ４    接着箇所
【図１】
2007184048.tif 000003
【図２】
2007184048.tif 000004
【図３】
2007184048.tif 000005
【図４】
2007184048.tif 000006
【図５】
2007184048.tif 000007